(57)【要約】【課題】かぶりが発生するのを確実に防止することができるようにする。【解決手段】像担持体と、該像担持体上に現像剤像を形成する現像剤担持体と、前記現像剤像を媒体に転写する転写部材と、転写された現像剤像を媒体に定着させる定着装置と、印刷が終了してから開始されるまでの、画像形成装置の放置時間が長いかどうかを判断する放置時間判定処理手段と、放置時間が長い場合、前記像担持体の表面電位を、標準の値よりかぶりが発生しない側に変化させて設定する表面電位設定処理手段とを有する。この場合、画像形成装置の放置時間が長い場合、前記像担持体の表面電位が、標準の値よりかぶりが発生しない側に変化させて設定されるので、かぶりが発生するのを確実に防止することができる。【選択図】図１
2007256567.tif 000002
【特許請求の範囲】
【請求項１】
（ａ）像担持体と、
（ｂ）該像担持体上に形成された静電潜像に現像剤を付着させて現像剤像を形成する現像剤担持体と、
（ｃ）前記現像剤像を媒体に転写する転写部材と、
（ｄ）転写された現像剤像を媒体に定着させる定着装置と、
（ｅ）印刷が終了してから開始されるまでの、画像形成装置の放置時間が長いかどうかを判断する放置時間判定処理手段と、
（ｆ）放置時間が長い場合、前記像担持体の表面電位を、標準の値よりかぶりが発生しない側に変化させて設定する表面電位設定処理手段とを有することを特徴とする画像形成装置。
【請求項２】
（ａ）印刷が終了してから開始されるまでの、画像形成装置の放置時間を算出する放置時間算出処理手段を有するとともに、
（ｂ）前記放置時間判定処理手段は、算出された放置時間が閾値以上である場合に、放置時間が長いと判断する請求項１に記載の画像形成装置。
【請求項３】
前記表面電位設定処理手段は、表面電位を、標準の値よりかぶりが発生しない側に変化させた後、印刷枚数又は印刷時間に応じて標準の値に向けて変化させる請求項１に記載の画像形成装置。
【請求項４】
（ａ）該画像形成装置の周辺の温度を表す装置周辺温度、及び定着装置の温度を表す定着器温度を検出する温度検出部を有するとともに、
（ｂ）前記放置時間判定処理手段は、装置周辺温度と定着器温度との温度差が閾値以上である場合に、放置時間が長いと判断する請求項１に記載の画像形成装置。
【発明の詳細な説明】
【技術分野】
【０００１】
本発明は、画像形成装置に関するものである。
【背景技術】
【０００２】
従来、プリンタ、複写機、ファクシミリ、複合機等の画像形成装置、例えば、プリンタにおいては、感光体ドラムの表面を、帯電ローラによって帯電させ、ＬＥＤヘッドによって露光して静電潜像を形成し、該静電潜像に現像ローラ上で薄層化された現像剤としてのトナーが静電的に付着させられてトナー像が形成され、該トナー像を転写ローラによって用紙に転写するようになっている。そして、トナー像が転写された用紙は、定着器に送られ、該定着器においてトナー像が用紙に定着させられる。
【０００３】
ところで、前記プリンタにおいて、正規の電位にまで帯電させることができないトナー、又は逆極性に帯電させられたトナーが、かぶりトナーとして発生し、感光体ドラムの表面に付着し、更に用紙に付着してかぶりが発生するのを防止するために、感光体ドラムの表面電位を前記かぶりトナーが付着しにくい電位に設定するようになっている（例えば、特許文献１参照。）。
【特許文献１】特開２００２−１６９３４３号公報
【発明の開示】
【発明が解決しようとする課題】
【０００４】
しかしながら、前記従来のプリンタにおいては、プリンタの放置時間、プリンタが置かれた環境等によってかぶりトナーの発生量が異なるので、かぶりが発生するのを確実に防止することができない。
【０００５】
本発明は、前記従来の画像形成装置の問題点を解決して、かぶりが発生するのを確実に防止することができる画像形成装置を提供することを目的とする。
【課題を解決するための手段】
【０００６】
そのために、本発明の画像形成装置においては、像担持体と、該像担持体上に形成された静電潜像に現像剤を付着させて現像剤像を形成する現像剤担持体と、前記現像剤像を媒体に転写する転写部材と、転写された現像剤像を媒体に定着させる定着装置と、印刷が終了してから開始されるまでの、画像形成装置の放置時間が長いかどうかを判断する放置時間判定処理手段と、放置時間が長い場合、前記像担持体の表面電位を、標準の値よりかぶりが発生しない側に変化させて設定する表面電位設定処理手段とを有する。
【発明の効果】
【０００７】
本発明によれば、画像形成装置においては、像担持体と、該像担持体上に形成された静電潜像に現像剤を付着させて現像剤像を形成する現像剤担持体と、前記現像剤像を媒体に転写する転写部材と、転写された現像剤像を媒体に定着させる定着装置と、印刷が終了してから開始されるまでの、画像形成装置の放置時間が長いかどうかを判断する放置時間判定処理手段と、放置時間が長い場合、前記像担持体の表面電位を、標準の値よりかぶりが発生しない側に変化させて設定する表面電位設定処理手段とを有する。
【０００８】
この場合、画像形成装置の放置時間が長い場合、前記像担持体の表面電位が、標準の値よりかぶりが発生しない側に変化させて設定されるので、かぶりが発生するのを確実に防止することができる。
【発明を実施するための最良の形態】
【０００９】
以下、本発明の実施の形態について図面を参照しながら詳細に説明する。この場合、画像形成装置としてのプリンタについて説明する。
【００１０】
図２は本発明の第１の実施の形態におけるプリンタの概念図である。
【００１１】
図に示されるように、プリンタは、媒体としての用紙Ｐを収容する媒体収容部としての図示されない用紙カセット、プリンタの装置本体に対して着脱自在に配設され、現像剤像としてのトナー像を形成する画像形成ユニットとしてのドラムカートリッジ１０、露光装置としてのＬＥＤヘッド１３、転写部材としての転写ローラ１７、定着装置としての図示されない定着器等を備える。
【００１２】
前記用紙カセットの前端には、前記用紙Ｐを、１枚ずつ分離させ、媒体搬送路に供給する供給ローラとしてのホッピングローラが配設され、該ホッピングローラによって供給された用紙Ｐは、前記媒体搬送路におけるホッピングローラより下流側に配設されたピンチローラ及び搬送ローラによって搬送され、ドラムカートリッジ１０と転写ローラ１７との間に送られる。
【００１３】
前記ドラムカートリッジ１０は、画像形成部を構成し、像担持体としての感光体ドラム１１、該感光体ドラム１１の表面を、一様に、かつ、均一に帯電させる帯電装置としての帯電ローラ１２、ＬＥＤヘッド１３によって露光して形成された静電潜像に現像剤としてのトナーを付着させて現像させ、トナー像を形成する現像剤担持体としての現像ローラ１４、前記トナーを帯電させて現像ローラ１４に供給する現像剤供給部材としてのトナー供給ローラ１５、前記現像ローラ１４上に均一な現像剤層としてのトナー層を形成する現像剤規制部材としての現像ブレード１６、トナー像の転写後、感光体ドラム１１上に残ったトナーを回収するクリーニング装置としての図示されないクリーニングブレード、回収されたトナーを図示されない回収容器に搬送するための現像剤搬送部としてのトナー搬送部１９等の画像を形成するための画像形成要素を備える。前記帯電ローラ１２、現像ローラ１４、転写ローラ１７及びクリーニングブレードは、前記感光体ドラム１１に接触させて配設される。
【００１４】
そして、前記ドラムカートリッジ１０の上方には、感光体ドラム１１の表面を露光して静電潜像を形成するＬＥＤヘッド１３が、ドラムカートリッジ１０の下方には、前記感光体ドラム１１上に形成されたトナー像を用紙Ｐに転写する転写ローラ１７が配設され、前記媒体搬送路において、ドラムカートリッジ１０及び転写ローラ１７より下流側に、前記定着器が配設される。該定着器は、第１の回転体としての加熱ローラ、及び第２の回転体としての加圧ローラを備える。
【００１５】
前記感光体ドラム１１は、導電性支持体及び光導電層から成り、導電性支持体としてアルミニウムの金属パイプに、光導電層として電荷発生層及び電荷輸送層を順次積層することによって形成された有機系感光体である。また、前記帯電ローラ１２は金属シャフト及び半導電性ゴム層から成り、前記現像ローラ１４は金属シャフト及び半導電性ウレタンゴム層等から成る。
【００１６】
また、前記現像ブレード１６は、例えば、厚さが０．８〔ｍｍ〕で、長手方向の長さが現像ローラ１４の外径とほぼ一致する薄板から成り、長手方向における一端は、図示されないフレームに固定され、先端からわずかに内側の面が現像ローラ１４と当接させられる。
【００１７】
なお、２０は前記帯電ローラ１２に電圧を供給する帯電電源、２１は前記転写ローラ１７に電圧を供給する転写電源である。前記帯電電源２０によって電圧が帯電ローラ１２に印加されると、帯電ローラ１２は感光体ドラム１１の表面を帯電させ、表面電位ｖ０を形成する。
【００１８】
次に、前記構成のプリンタの動作について説明する。
【００１９】
まず、感光体ドラム１１は帯電ローラ１２によって表面が任意の極性及び電位に帯電させられる。そして、図示されない制御部からＬＥＤヘッド１３に画像データが送られると、ＬＥＤヘッド１３はＬＥＤ光を発生させ、感光体ドラム１１の表面を照射し、静電潜像を形成する。一方、トナー供給ローラ１５は現像ローラ１４に当接し、回転することによってトナーを現像ローラ１４に供給し、現像ローラ１４上のトナーは、現像ブレード１６との摩擦によって帯電させられる。なお、現像ローラ１４上のトナー層の厚さは現像ローラ１４に対する現像ブレード１６の押圧力によって決定される。
【００２０】
また、前記現像ローラ１４は感光体ドラム１１に当接し、電圧を印加することによってトナーを感光体ドラム１１上の静電潜像に付着させ、トナー像を形成する。この後、感光体ドラム１１上のトナー像は、転写ローラ１７によって用紙Ｐに転写され、用紙Ｐ上のトナー像は定着器によって定着させられる。なお、転写後に感光体ドラム１１上に残留したトナーはクリーニングブレードによって除去される。
【００２１】
ところで、前記プリンタにおいて、正規の電位にまで帯電させることができないトナー、又は逆極性に帯電させられたトナーが、かぶりトナーとして発生し、感光体ドラム１１の表面に付着すると、かぶりトナーが更に用紙Ｐに付着してかぶりが発生してしまう。
【００２２】
そこで、プリンタにおいて印刷を行ったときのかぶりの発生する程度、すなわち、かぶりレベルの推移について説明する。
【００２３】
図３はかぶりレベルの推移を示す図である。なお、図において、横軸に印刷枚数を、縦軸にかぶりレベルを採ってある。
【００２４】
図において、Ｋは１０００枚単位の印刷枚数であり、例えば、１Ｋは１０００枚、２Ｋは２０００枚を表す。また、Ｋの文字の次のＡは、印刷が行われた後、プリンタが長い時間、例えば、１日又は２日放置された状態を表す。例えば、２ＫＡは、その前の２Ｋ（２０００枚）の印刷が行われた後に、放置された状態を表し、４ＫＡは、その前の４Ｋ（４０００枚）の印刷が行われた後に、放置された状態を表す。
【００２５】
また、ＮＮ、ＨＨ、ＬＬは、それぞれ、プリンタの置かれた環境が常温常湿、高温高湿、低温低湿であることを表す。この場合、ＮＮは、温度が２５〔℃〕であり、湿度が５０〔％〕であることを、ＨＨは、温度が２８〔℃〕であり、湿度が８０〔％〕であることを、ＬＬは、温度が１０〔℃〕であり、湿度が２０〔％〕であることを表す。
【００２６】
図に示されるように、ポイントＡ、Ｂ、Ｃ、Ｄ、Ｅは長い時間プリンタが放置された後の最初の印刷におけるかぶりレベルであり、長い時間放置された後のかぶりレベルが高く、多くのかぶりが発生することが分かる。
【００２７】
図４は感光体ドラムの表面におけるかぶりの発生状態を示す図である。なお、図において、縦軸に感光体ドラム１１の表面電位ｖ０を採ってある。
【００２８】
この場合、トナーが負の極性に帯電させられ、反転現像が行われるプリンタについて説明する。前記表面電位ｖ０は負の値を採るので、各電位ｖ１〜ｖ３も負の値を採り、表面電位ｖ０と電位ｖ１〜ｖ３との関係は負の方向において説明される。
【００２９】
図において、ｖ１は、現像ローラ１４に印加される電圧に、現像ローラ１４上のトナー層の電位を加えた電位であり、ｖ２は感光体ドラム１１の表面に汚れが形成されないようにする下限の電位、ｖ３は感光体ドラム１１の表面にかぶりが発生しないようにする上限の電位である。したがって、表面電位ｖ０が
ｖ１≦ｖ０＜ｖ２
の範囲は、汚れ領域であり、現像ローラ１４上のトナーが感光体ドラム１１の表面に付着させられてしまう。また、表面電位ｖ０が
ｖ３＜ｖ０
の範囲は、かぶり領域であり、かぶりが発生してしまう。
【００３０】
そして、表面電位ｖ０が、
ｖ２≦ｖ０≦ｖ３
の範囲は、良好範囲であり、現像ローラ１４上のトナーが感光体ドラム１１の表面に付着させられることがなく、かぶりが発生することもない。
【００３１】
ところが、プリンタを長い時間放置すると、前記電位ｖ１を構成するトナー層の電位が低くなる傾向にあり、その結果、かぶりが発生しないようにする上限の電位ｖ３が低くなり、表面電位ｖ０がかぶり領域に入ることがあり、その場合、かぶりが発生してしまう。
【００３２】
そこで、本実施の形態においては、プリンタが所定の期間放置された場合に、感光体ドラム１１の表面電位ｖ０の設定を低くし、かぶりが発生するのを防止するようにしている。
【００３３】
図１は本発明の第１の実施の形態におけるプリンタの制御ブロック図である。
【００３４】
図において、２０は帯電電源、２６は制御部、２７は帯電電源２０に電圧を印加するための電源制御部である。また、２５はプリンタの放置時間を計時する計時部材としてのタイマである。前記制御部２６の図示されない放置時間算出処理手段は、放置時間算出処理を行い、タイマ２５による計時を指示し、タイマ２５によって計時された時間を読み込み、プリンタの放置時間を算出する。また、制御部２６の図示されない表面電位設定処理手段は、表面電位設定処理を行い、表面電位ｖ０を設定するとともに、帯電電源２０に電圧を印加するタイミングを設定し、電源制御部２７に指令を送る。該電源制御部２７は、制御部２６からの指令に従って帯電電源２０に電圧を印加する。
【００３５】
図５は本発明の第１の実施の形態におけるプリンタの動作を示すタイムチャートである。
【００３６】
図に示されるように、タイミングｔ０からｔ１の間の印刷においては、前記表面電位設定処理手段は、表面電位ｖ０を標準の値α１に設定し、電源制御部２７に指令を送る。電源制御部２７は、表面電位設定処理手段からの指令に従って、帯電電源２０に電圧を印加し、感光体ドラム１１の表面電位ｖ０を標準の値α１に設定し、印刷を行う。
【００３７】
続いて、タイミングｔ１で印刷が終了し、外部、例えば、図示されない上位装置から印刷ジョブが送られてこなくなると、プリンタは放置される。
【００３８】
これに伴って、前記放置時間算出処理手段は、タイマ２５による計時を開始し、タイミングｔ２で印刷が開始されると、計時を終了し、タイミングｔ１からｔ２までの放置時間Ｔ１を算出する。
【００３９】
次に、前記制御部２６の図示されない放置時間判定処理手段は、放置時間判定処理を行い、放置時間Ｔ１があらかじめ設定された閾値Ｔｔｈ以上であるかどうかによって放置時間Ｔ１が長いかどうかを判断する。この場合、放置時間Ｔ１は閾値Ｔｔｈより短いので、前記表面電位設定処理手段は、表面電位ｖ０を標準の値α１に設定する。
【００４０】
そして、タイミングｔ３で印刷が終了し、再びプリンタが放置されると、前記放置時間算出処理手段は、タイマ２５による計時を開始し、タイミングｔ４で印刷が開始されると、計時を終了し、タイミングｔ３からｔ４までの放置時間Ｔ２を算出する。
【００４１】
続いて、前記放置時間判定処理手段は、放置時間Ｔ２が閾値Ｔｔｈ以上であるかどうかを判断する。この場合、放置時間Ｔ２は閾値Ｔｔｈ以上であるので、前記表面電位設定処理手段は、表面電位ｖ０を標準の値α１より低い値α２に設定する。
【００４２】
このように、本実施の形態においては、プリンタの放置時間が閾値以上になると、表面電位ｖ０が標準の値α１より低い値α２にされるので、前記電位ｖ１（図４）を構成するトナー層の電位が低くなって、かぶりが発生しないようにする上限の電位ｖ３が低くなっても、表面電位ｖ０がかぶり領域に入ることがなくなる。したがって、かぶりが発生するのを防止することができる。
【００４３】
なお、本実施の形態においては、プリンタの電源は、放置されている間もオンの状態にされるようになっているが、プリンタの電源を、商用電源等の主電源及びバッテリ等の補助電源によって構成し、主電源をオフにした場合でも、補助電源によって電力を供給し、タイマ２５を差動させることができる。
【００４４】
次に、本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。また、本実施の形態におけるプリンタの構造については、前記第１の実施の形態におけるプリンタの構造と同じであるので、図２を援用して説明する。
【００４５】
図６は本発明の第２の実施の形態におけるプリンタの制御ブロック図、図７はプリンタを放置した後のかぶりレベルの推移を示す図である。なお、図７において、横軸に印刷枚数を、縦軸にかぶりレベルを採ってある。
【００４６】
図において、２８は画像形成の回数を表す印刷枚数を計数する計数部としての印刷枚数カウント部であり、制御部２６の図示されない枚数算出処理手段は、枚数算出処理を行い、印刷枚数カウント部２８による計数を指示し、印刷枚数カウント部２８によって計数されたカウント値を読み込み、印刷枚数を算出する。
【００４７】
ところで、プリンタを長い時間放置した後に、印刷を開始した場合、図７に示されるように、印刷枚数が多くなるにつれてかぶりレベルが小さくなることが分かる。そして、印刷枚数が所定の値、例えば、１２０枚になると、画像品位上容認することができるかぶりレベルになる。そこで、プリンタを長い時間放置した後に、印刷を開始した場合、表面電位ｖ０を標準の値α１より低い値α２にし、印刷枚数が設定値ｍに達したときに、表面電位ｖ０を標準の値α１にするようにしている。
【００４８】
図８は本発明の第２の実施の形態におけるプリンタの動作を示すタイムチャートである。
【００４９】
図に示されるように、タイミングｔ１０で印刷が終了し、外部、例えば、上位装置から印刷ジョブが送られてこなくなると、プリンタは放置される。
【００５０】
これに伴って、前記放置時間算出処理手段は、タイマ２５による計時を開始し、タイミングｔ１１で印刷が開始されると、計時を終了し、タイミングｔ１０からｔ１１までの放置時間Ｔ１１を算出する。
【００５１】
続いて、前記放置時間判定処理手段は、放置時間Ｔ１１があらかじめ設定された閾値Ｔｔｈ以上であるかどうかによって放置時間Ｔ１１が長いかどうかを判断する。この場合、放置時間Ｔ１１は閾値Ｔｔｈ以上であり、放置時間Ｔ１１が長いので、前記表面電位設定処理手段は、表面電位ｖ０を標準の値α１より低い値α２に設定する。
【００５２】
次に、タイミングｔ１１からｔ１３までの間、印刷が行われるが、前記枚数算出処理手段は、タイミングｔ１１で印刷枚数カウント部２８による計数を開始し、印刷枚数を算出する。そして、前記表面電位設定処理手段は、印刷枚数が設定値ｍに到達する時点で表面電位ｖ０が標準の値α１になるように、所定のパターンで表面電位ｖ０を標準の値α１に向けて変化させる。
【００５３】
本実施の形態において、前記パターンは、タイミングｔ１１で表面電位ｖ０が値α２に設定され、その後、所定の時間だけ経過すると、表面電位ｖ０は、一定の傾きで高くされ、印刷枚数が設定値ｍに到達するタイミングｔ１２で標準の値α１にされる。そのために、前記表面電位設定処理手段のパターン発生処理手段は、パターン発生処理を行い、タイミングｔ１１からｔ１２までの時間、値α１、α２等に基づいて、表面電位ｖ０を変更するパターンを設定し、発生させる。本実施の形態においては、表面電位ｖ０は、時間の経過に対して直線状に変化させられるが、所定の関数で、例えば、曲線状、階段状等に変化させることができる。
【００５４】
このように、本実施の形態においては、プリンタが放置された後に、表面電位ｖ０が変更された場合に、印刷枚数によって標準の値α１に戻すことができるので、印刷を繰り返すことによって電位ｖ１を構成するトナー層の電位が高くなった場合に、現像ローラ１４上のトナーによって汚れが発生するのを防止することができる。
【００５５】
なお、本実施の形態においては、印刷枚数に応じて表面電位ｖ０を高くするようになっているが、印刷時間に応じて表面電位ｖ０を高くすることができる。その場合、制御部２６の図示されない印刷時間算出処理手段は、タイミングｔ１１でタイマ２５による計時を開始し、印刷時間を算出する。そして、前記表面電位設定処理手段は、印刷時間が経過するのに伴って、表面電位ｖ０を標準の値α１に向けて、所定のパターンで変化させる。
【００５６】
次に、本発明の第３の実施の形態について説明する。なお、第１、第２の実施の形態と同じ構造を有するものについては、同じ符号を付与することによってその説明を省略し、同じ構造を有することによる発明の効果については同実施の形態の効果を援用する。また、本実施の形態におけるプリンタの構造については、前記第１の実施の形態におけるプリンタの構造と同じであるので、図２を援用して説明する。
【００５７】
図９は本発明の第３の実施の形態におけるプリンタの制御ブロック図である。
【００５８】
図において、３０はプリンタが置かれた環境、本実施の形態においては、プリンタの周辺の温度、すなわち、装置周辺温度を検出する装置周辺温度センサ、３１は定着器の温度、すなわち、定着器温度を検出する定着器温度センサである。なお、装置周辺温度センサ３０及び定着器温度センサ３１によって温度検出部が構成される。
【００５９】
本実施の形態において、用紙Ｐ上のトナー像を構成する各トナーは、定着器に送られた後、加熱され、溶融させられ、加圧されて用紙Ｐに定着させられるようになっている。そのために、前記定着器は、アルミニウム、鉄等から成る第１の回転体としての加熱ローラ、及び第２の回転体としての加圧ローラを備え、前記加熱ローラ内に、例えば、ハロゲンランプ等の加熱体が配設される。なお、ベルトの内側に、例えば、ハロゲンランプ等の加熱体が配設された定着器を使用することもできる。
【００６０】
ところで、定着器温度は、所定の温度幅になるように設定され、温度が低すぎると、定着が行われず、温度が高すぎると、トナーが加熱ローラに付着して適正な定着を行うことができなくなる。そこで、加熱ローラと対向させて、定着器温度センサ３１が配設される。
【００６１】
図１０は本発明の第３の実施の形態におけるプリンタの動作を示すタイムチャートである。
【００６２】
本実施の形態においては、プリンタは、バッテリ等の補助電源を備えず、操作者は、プリンタを放置した後、電源をオフにする場合について説明する。
【００６３】
図において、τ１は装置周辺温度、τ２は定着器温度である。図に示されるように、タイミングｔ２０からｔ２１までの間において、電源がオンにされ、印刷が行われている場合、定着器温度τ２は、高温（例えば、１６０〔℃〕）になっていて、装置周辺温度τ１に対して十分に高い。
【００６４】
例えば、タイミングｔ２１で印刷が終了し、操作者が、プリンタの電源をオフにすると、装置周辺温度τ１は、特に変化しないのに対して、定着部温度τ２は徐々に低くなる。なお、定着器温度τ２が低くなる傾きは、定着器の加熱ローラ等の熱容量によって決まる。
【００６５】
次に、タイミングｔ２２において操作者がプリンタの電源をオンにすると、前記制御部２６の図示されない温度差算出処理手段は、温度差算出処理を行い、装置周辺温度センサ３０から装置周辺温度τ１を、定着器温度センサ３１から定着器温度τ２をそれぞれ読み込み、定着器温度τ２から装置周辺温度τ１を減算することによって温度差Δτ
Δτ＝τ２−τ１
を算出する。
【００６６】
続いて、前記制御部２６の図示されない放置時間推定処理手段は、放置時間推定処理を行い、温度差Δτがあらかじめ設定された閾値τｔｈ以下であるかどうかを判断し、温度差Δτが閾値τｔｈ以下である場合、電源がオフにされた後の経過時間、すなわち、放置時間が閾値τｔｈ以上であると推定し、かつ、放置時間が長いと判断する。そして、第１の実施の形態と同様に、前記表面電位設定処理手段は、表面電位ｖ０を標準の値α１より低い値α２に設定する。
【００６７】
一方、前記温度差Δτが閾値τｔｈより大きい場合、前記放置時間推定処理手段は、放置時間が閾値より短いと推定し、放置時間が短いと判断する。そして、第１の実施の形態と同様に、前記表面電位設定処理手段は、表面電位ｖ０を標準の値α１に設定する。
【００６８】
このように、本実施の形態においては、プリンタが補助電源を有しない場合に、印刷が終了して操作者がプリンタの電源をオフにしても、放置時間が短いかどうかを判断することができるので、かぶりが発生するのを防止することができる。
【００６９】
前記各実施の形態においては、プリンタについて説明しているが、本発明を、ファクシミリ装置、複写機、複合機等に適用することができる。
【００７０】
また、前記各実施の形態においては、帯電電源２０によって帯電ローラ１２に直流電圧が印加される場合について説明しているが、直流電圧に交流電圧を重畳して帯電ローラ１２に印加することができる。
【００７１】
さらに、前記各実施の形態においては、帯電装置として帯電ローラ１２を使用する場合について説明しているが、帯電装置として、ブレード、ブラシ（磁気ブラシを含む。）等を使用することができる。
【００７２】
なお、本発明は前記各実施の形態に限定されるものではなく、本発明の趣旨に基づいて種々変形させることが可能であり、それらを本発明の範囲から排除するものではない。
【図面の簡単な説明】
【００７３】
【図１】本発明の第１の実施の形態におけるプリンタの制御ブロック図である。
【図２】本発明の第１の実施の形態におけるプリンタの概念図である。
【図３】かぶりレベルの推移を示す図である。
【図４】感光体ドラムの表面におけるかぶりの発生状態を示す図である。
【図５】本発明の第１の実施の形態におけるプリンタの動作を示すタイムチャートである。
【図６】本発明の第２の実施の形態におけるプリンタの制御ブロック図である。
【図７】プリンタを放置した後のかぶりレベルの推移を示す図である。
【図８】本発明の第２の実施の形態におけるプリンタの動作を示すタイムチャートである。
【図９】本発明の第３の実施の形態におけるプリンタの制御ブロック図である。
【図１０】本発明の第３の実施の形態におけるプリンタの動作を示すタイムチャートである。
【符号の説明】
【００７４】
１０    ドラムカートリッジ
１１    感光体ドラム
１４    現像ローラ
１７    転写ローラ
２６    制御部
３０    装置周辺温度センサ
３１    定着器温度センサ
Ｋ    印刷枚数
Ｔｔｈ、τｔｈ    閾値
Ｔ１、Ｔ２、Ｔ１１    放置時間
ｖ０    表面電位
α１    標準の値
τ１    装置周辺温度
τ２    定着器温度
Δτ    温度差
【図１】
2007256567.tif 000003
【図２】
2007256567.tif 000004
【図３】
2007256567.tif 000005
【図４】
2007256567.tif 000006
【図５】
2007256567.tif 000007
【図６】
2007256567.tif 000008
【図７】
2007256567.tif 000009
【図８】
2007256567.tif 000010
【図９】
2007256567.tif 000011
【図１０】
2007256567.tif 000012